(57)【要約】【課題】投票券と共にサービス券の取り扱いを可能とする投票券発券装置を提供すること。【解決手段】投票券を発券する投票券発券装置において、同一の挿入口から挿入される購入済の投票券と投票券の新規購入に対する特典が付与されたサービス券の内容を読取って、前記購入済の投票券については的中券と外れ券に分けてそれぞれ対応する箇所へ搬送し、前記サービス券については保留するための特定の箇所に搬送するよう制御する投票券読取制御部と、前記投票券の新規購入の際に、前記サービス券の内容に応じた特典を付与して、前記投票券を発券するよう制御する投票券発券制御部を備える。【選択図】図５
2015011455.tif 000002
【特許請求の範囲】
【請求項１】
投票券を発券する投票券発券装置において、
同一の挿入口から挿入される購入済の投票券と投票券の新規購入に対する特典が付与されたサービス券の内容を読取って、前記購入済の投票券については的中券と外れ券に分けてそれぞれ対応する箇所へ搬送し、前記サービス券については保留するための特定の箇所に搬送するよう制御する投票券読取制御部と、
前記投票券の新規購入の際に、前記サービス券の内容に応じた特典を付与して、前記投票券を発券するよう制御する投票券発券制御部を備える、
ことを特徴とする投票券発券装置。
【請求項２】
前記特定の箇所で前記サービス券を複数枚保留するサービス券保留部を備える、
ことを特徴とする請求項１に記載の投票券発券装置。
【請求項３】
前記投票券読取制御部は、前記投票券の購入に際して前記サービス券を使用する時には、前記サービス券保留部から前記サービス券を使用する枚数分取出すよう制御する
ことを特徴とする請求項２に記載の投票券発券装置。
【請求項４】
前記同一の挿入口から挿入される投票券とサービス券を、前記対応する箇所へ搬送する前にいったん取り込む取込部と、
前記サービス券保留部を前記取込部の位置に移動させる移動機構部とを備え、
前記投票券読取制御部は、前記サービス券保留部に保留されたサービス券を使用する時には、前記サービス券保留部を前記取込部の位置に移動させて、前記サービス券保留部から使用するサービス券を搬送するよう制御する
ことを特徴とする請求項３に記載の投票券発券装置。
【請求項５】
前記同一の挿入口から挿入された前記投票券と前記サービス券の内容を読取る読取部と、
前記読取部で内容が読取られた前記投票券と前記サービス券を一時的に保留する一時保留部とを備え、
前記投票券読取制御部は、前記サービス券を前記一時保留部から前記サービス券保留部に搬送するよう制御する
ことを特徴とする請求項２に記載の投票券発券装置。
【請求項６】
投票券を発券する投票券発券装置における投票券の発券方法において、
同一の挿入口から挿入される購入済の投票券と前記投票券の新規購入に対する特典が付与されたサービス券の内容を読取り、
前記購入済の投票券については的中券と外れ券に分けてそれぞれ対応する箇所へ搬送し、前記サービス券については保留するための特定の箇所に搬送し、
前記投票券の新規購入の際に、前記サービス券の内容に応じた特典を付与して、投票券を発券する
ことを特徴とする投票券の発券方法。
【発明の詳細な説明】
【技術分野】
【０００１】
本発明は、公営競技場に設置されて、投票券の発券等を行う投票券発券装置に関する。
【背景技術】
【０００２】
現在、競馬や競輪あるいは競艇といった公営競技での、投票券の発券、投票券の受付、当たり券の配当等は、公営競技処理システムにより、一括処理・実行されることが多い。公営競技処理システムは、ホストコンピュータと、これに接続され顧客への対応（接客とも呼ばれる）を行う端末（投票券発券装置、投票装置、あるいは発払装置等と呼ばれる）から構成され、このような投票券発券装置が、競技場の場内に多数設置される。
この投票券発券装置に対しては、顧客にとってより使いやすいものにするために、色々な提案がなされている。例えば、投票券発券装置に複数の投票カードがまとめて入れられた際にも、投票内容の確認が容易にできるように画面表示に工夫がなされた投票券発券装置が提案されている（特許文献１）。
【先行技術文献】
【特許文献】
【０００３】
【特許文献１】特開２００５−１５７４９３号公報
【発明の概要】
【発明が解決しようとする課題】
【０００４】
スーパーマーケットやコンビニエンスストア等の業界では、顧客の来店頻度を高めたりあるいは特定の商品の購入を促すために、サービス券が発行される。競馬等の公営競技でも、サービス券を発行して、新規顧客の開拓、競技場への来場回数の増加や、投票券の購入をより促すことが検討されている。
【０００５】
しかし、上記したように競技場内では投票券の発券等は専ら投票券発券装置により行なわれるので、サービス券を発行した場合には、これら投票券発券装置でサービス券の利用が可能であることが必要となる。
【０００６】
本願発明は、上記課題に鑑み、投票券と共にサービス券の取り扱いを可能とする投票券発券装置を提供することを目的とする。
【課題を解決するための手段】
【０００７】
上記目的を達成するために、投票券を発券する投票券発券装置において、同一の挿入口から挿入される購入済の投票券と投票券の新規購入に対する特典が付与されたサービス券の内容を読取って、前記購入済の投票券については的中券と外れ券に分けてそれぞれ対応する箇所へ搬送し、前記サービス券については保留するための特定の箇所に搬送するよう制御する投票券読取制御部と、前記投票券の新規購入の際に、前記サービス券の内容に応じた特典を付与して、前記投票券を発券するよう制御する投票券発券制御部を備える。
【発明の効果】
【０００８】
本発明によれば、投票券と共にサービス券の取り扱いを可能とする投票券発券装置を提供することができる。
【図面の簡単な説明】
【０００９】
【図１】公営競技用投票システム１（トータリゼータシステム）の構成の例を示す図である。
【図２】投票券発券装置１０の構成の例を示す図である。
【図３】制御ユニット１１４により実現される機能を説明するためのブロック図である。
【図４】サービス券３００のレイアウトの例を示す図である。
【図５】投票券読取ユニット１０２における、投票券等の搬送経路の構成を示す図である。
【図６−１】格納部４４のサービス券保留部３２の上下動作を段階的に示す第１の図である。
【図６−２】格納部４４のサービス券保留部３２の上下動作を段階的に示す第２の図である。
【図６−３】格納部４４のサービス券保留部３２の上下動作を段階的に示す第３の図である。
【図６−４】格納部４４のサービス券保留部３２の上下動作を段階的に示す第４の図である。
【図７−１】投票券発券装置１０における処理を説明するフローチャート１である。
【図７−２】投票券発券装置１０における処理を説明するフローチャート２である。
【図７−３】投票券発券装置１０における処理を説明するフローチャート３である。
【発明を実施するための形態】
【００１０】
以下、図面に従って本発明の実施形態を説明する。図１は、公営競技用投票システム１（トータリゼータシステム）の構成の例を示す図である。 公営競技用投票システム１は、ホストコンピュータ５と、ホストコンピュータ５と通信回線で接続され場内に複数設置される投票券発券装置１０とを主に有する。
【００１１】
ホストコンピュータ５は、投票券発券装置１０と、たとえば売上げ、払戻金など金銭に関する情報を遣り取りし、処理する。ホストコンピュータ５は、投票券発券装置１０から受けた情報を処理し、その結果に基づいて、投票券発券装置１０に向けて所定の動作をするように命令を送信する。 
【００１２】
また、ホストコンピュータ５は、投票者が購入する投票券に対する発券払戻処理を行う。発券払戻処理には、たとえば、購入した投票券を管理して、的中券に対する配当金を計算したり、投票者が投票券を購入したとき、後述するサービス券が提供するサービスの内容に基づいて、購入可能金額を決定する処理が含まれる。 
【００１３】
投票券発券装置１０の正面部には、投票券挿入口２０、投票券返却口２２、投票カード挿入口、投票券発券出口、紙幣出入口、硬貨出入口等が設けられる。投票券挿入口２０、投票券返却口２２は、図５で図示するが、それ以外は不図示とする。投票券発券装置１０の正面部には、さらに、表示部と入力部が設けられる。入力部は、例えば、タッチパネルで、精算ボタン等が表示される。表示部と入力部も不図示とする。
【００１４】
投票券挿入口２０は、レース終了後に顧客が払戻しのために、的中券を挿入する挿入部である。また、投票券挿入口２０は、顧客によりサービス券が挿入される挿入部でもある。以下、投票券とサービス券を合わせて投票券等とも呼ぶ。投票券挿入口２０へは、複数枚の投票券等が挿入可能で、また投票券とサービス券を混在して挿入することも可能である。
【００１５】
投票券返却口２２は、投票券挿入口２０から挿入された投票券が的中券でない場合、つまり外れ券であった場合に、これを顧客に戻すための返却口である。投票券挿入口２０に、誤って外れ券が挿入されることもあるからである。
【００１６】
投票カード挿入口は、新規に投票券を購入する場合に、顧客により投票券の内容を記載された投票カードを挿入する挿入口である。投票カードも複数枚をまとめて挿入することが可能である。
【００１７】
投票券発券出口は、投票カードに応じた発券された新規の投票券を放出する出口である。紙幣出入口は、投票券の購入時に紙幣を入金したり、的中券の払い戻し金の紙幣を出金する出入口である。硬貨出入口は、投票券の購入時に硬貨を入金したり、的中券の払い戻し金の硬貨を出金する出入口である。
【００１８】
図２は、投票券発券装置１０の構成例を示す図である。投票券発券装置１０は、投票券読取ユニット１０２、投票カード読取ユニット１０４、発券ユニット１０６、硬貨ユニット１０８、紙幣ユニット１１０、表示ユニット１１２、 および制御ユニット１１４を有する。
【００１９】
投票券読取ユニット１０２は、投票券挿入口２０から挿入され内部に搬送された投票券等について、投票券等に記録あるいは印刷された情報から券の内容を読取るものである。読取った情報に基づいて、券が投票券またはサービス券のいずれの種類であるかや、券が投票券であればそれが的中券であるかが判別される。投票券読取ユニット１０２は、読取部として、例えば、バーコードを光学的に読取るイメージセンサを有する。読取部は、磁気読取り装置であってもよい。
【００２０】
投票カード読取ユニット１０４、投票カード挿入口から挿入された投票カードについて、投票内容を記載した投票カード（マークカード）の読取、すなわち投票カードが有する競技への投票に関する情報の読み取りをする。投票カードは、たとえば、式別投票カード、ながし投票カード、ボックス投票カードのように、何種類か存在しても良い。これらのカードは、マークシート形式の投票カードであっても良く、この場合、投票カード読取ユニット１０４は、光学式マークリーダで構成される。
【００２１】
発券ユニット１０６は、投票券の発券を行う。発券ユニット１０６は、投票カード読取ユニット１０４で読取られた投票カードの投票内容に基づいて、たとえばホストコンピュータ５が投票券を発券する許可をすると、投票券を印刷し、発券する。
【００２２】
硬貨ユニット１０８は、硬貨出入口に硬貨の出入金をする。たとえば、投票者が挿入した硬貨を読み取り、その金額や真贋を確認したり、的中投票券の払戻しを求める投票者に払戻金を支払うために、たとえばホストコンピュータ５からの指示に基づいて硬貨を放出する。また、投票者が投票券を購入に際して払い戻すべきつり銭が発生した場合、たとえばホストコンピュータ５からの指示に基づいて硬貨を放出する。
【００２３】
紙幣ユニット１１０は、紙幣出入口に紙幣の出入金をする。たとえば、投票者が挿入した紙幣を読み取り、その金額や真贋を確認したり、的中投票券の払戻しを求める投票者に払戻金を支払うために、たとえばホストコンピュータ５からの指示に基づいて紙幣を放出する。また、投票者が投票券を購入に際して払い戻すべきつり銭が発生した場合、たとえばホストコンピュータ５からの指示に基づいてつり銭を放出する。硬貨ユニット１０８および／または紙幣ユニット１１０は入出金ユニットとも呼ばれる。
【００２４】
表示ユニット１１２は、投票者に対して投票券の購入に関する情報等を提供する。情報としては、たとえば、的中券による配当金額、挿入された投票カードの内容や、サービス券の内容や使用制限である。サービス券の使用制限とは、例えば、1回の接客で使用できるサービス券の限度枚数、あるいはサービス券の使用できる金額の下限等である。
【００２５】
制御ユニット１１４は、投票券読取ユニット１０２、投票カード読取ユニット１０４、発券ユニット１０６、硬貨ユニット１０８、紙幣ユニット１１０及び表示ユニット１１２の各部を制御する。制御ユニット１１４は、プログラムを読込んで各種処理を実行するＣＰＵ１５０と、プログラムを記憶するメモリ１６０から構成される。
【００２６】
図３は、制御ユニット１１４により実現される機能を説明するためのブロック図である。制御ユニット１１４は、投票券読取制御部２００、サービス券処理部２０２、投票カード読取制御部２０４、投票券発券制御部２０６の各機能を有する。制御ユニット１１４の各機能は、プログラムに従ってＣＰＵ１５０により実行される。
【００２７】
投票券読取制御部２００は、投票券読取ユニット１０２を制御する。投票券読取制御部２００は、投票券挿入口２０から挿入された投票券等の搬送を制御し、判別された券の種類に応じて所定箇所に搬送するよう投票券読取ユニット１０２内の駆動部や搬送部を制御する。
【００２８】
また、投票券読取制御部２００は、投票券読取ユニット１０２の読取り結果に基づき、挿入された投票券等の内容・種別を判別する。具体的には、投票券読取制御部２００は、挿入された投票券等が、投票券であるかサービス券であるかを判別する。さらに、投票券読取制御部２００は、投票券については、的中券か外れ券かを判別し、サービス券については、サービス券の内容（特典）を判別する。
【００２９】
投票カード読取制御部２０４は、投票カード読取ユニット１０４の読取り制御を行う。
投票券発券制御部２０６は、投票カード読取ユニット１０４で読取ったマークカードに記載されている情報、及び投入された金額及びサービス券に基づき、ホストコンピュータ５と通信して、投票券を発行するように発券ユニット１０６を制御する。
【００３０】
サービス券処理部２０２は、投票券の購入に際してサービス券を使用する場合に、サービス券の内容に応じて、各種サービス内容を決定する。例えば、サービス券処理部２０２は、一定以上の金額でないと使用できないサービス券の場合に、サービス券利用可能な金額であるかを判断し、利用可能と判断した場合に、購入金額からサービス券の内容に応じた一定金額を割り引く等を、投票券発券制御部２０６に指示する。また、サービス券処理部２０２は、利用できる期間や曜日を限定されているサービス券に対しては、対象期間であるかの確認を行う。
【００３１】
ここで、サービス券について説明する。サービス券は、投票者の競技場への来場を促すためや投票券購入を促進するために、例えば、近隣の駅前等や競技場の場外で配布されるサービス券を受け取った顧客は、投票券発券装置１０にてサービス券を使用することができる。顧客は、投票券挿入口２０からサービス券を投入し、さらに投票内容を記載したマークカードを投票券読取ユニットに挿入し 必要に応じてサービス券に加えて現金を投入し、投票券を購入することができる。
【００３２】
サービス券は、投票券と同じ外形寸法とすることが望ましい。投票券と同一形状にすることで、投票券挿入口２０からの投入を可能とし、また内部搬送も投票券と兼用にできるからである。なお、サービス券は、形状は同一であっても、投票券とは色を変更することで、識別性を確保するようにしてもよい。 
【００３３】
図４は、サービス券３００のレイアウトの例を示す図である。図４に示されているサービス券３００のＦの部分には、サービス券３００の名称や使用できる公営競技の場名などが記載される。サービス券３００のＧ１、Ｇ２の部分には二次元バーコードが記載される。サービス券３００のＧ１、Ｇ２の部分に記載される二次元バーコードは、サービス券３００に記載されている情報を示す。サービス券３００のＨの部分には、券の種類が記載される。
【００３４】
サービス券３００のＩの部分には、特典や利用条件などが記載される。代表的な特典としては、購入金額から、券面金額分だけ又は購入金額の一定比率分を割り引くことである。利用条件の例としては、上述のように利用できる期間や曜日を限定される例や、購入金額が一定以上に限って利用できるような例がある。サービス券３００のＪの部分は、広告等にも使用できる自由使用の領域である。
【００３５】
図５は、投票券読取ユニット１０２における、投票券等の搬送経路の構成を示す図である。図５（Ａ）は、投票券を挿入できるスタートの状態で、図５（Ｂ）は、投票券の購入時に挿入されたサービス券を使用する状態である。図５（Ａ）から説明する。
【００３６】
投票券読取ユニット１０２は、投票券挿入口２０、投票券返却口２２、取込部３０、サービス券保留部３２、ピックローラ３４、券読取部３６、一時保留部３８、廃券処理部４０、廃券スタッカ４２、格納部４４等を有する。また、投票券読取ユニット１０２は、投票券挿入口２０から挿入された投票券等を各所間で移動するための搬送路（Ｌ１〜Ｌ５）を有する。なお、ピックローラ３４以外にも、各搬送路（Ｌ１〜Ｌ５）には適宜搬送ローラが配置されるが、煩雑となるため本図では省略する。
【００３７】
取込部３０は、投票券挿入口２０から挿入された１枚以上の投票券等を、一括して取込むものである。サービス券保留部３２は、挿入された投票券等から抽出されたサービス券だけをまとめて保留しておくものである。取込部３０の下部にサービス券保留部３２が配置される。
【００３８】
ピックローラ３４は、取込部３０に一括して取込まれた投票券またはサービス券保留部３２に保留されたサービス券を１枚ずつ内部に搬送するものである。図示なき駆動源により駆動される。券読取部３６は、ピックローラ３４により１枚ずつ搬送されてきた投票券等を読取るイメージセンサを有する。イメージセンサは、例えば投票券等に印刷されたバーコードを読取るバーコード読取センサである。
【００３９】
一時保留部３８は、券読取部３６で読取りがされた投票券等を一時的に保留しておくものである。廃券処理部４０は、一時保留部３８から搬送されてきた投票券等につき、的中券または使用済みのサービス券３００の所定箇所に廃券にする処理、例えば穴を開ける処理を行う。廃券スタッカ４２は、廃券処理部４０で廃券処理された的中券やサービス券を格納する。
【００４０】
格納部４４は、取込部３０とサービス券保留部３２を内部に格納し、さらに、サービス券保留部３２を取込部３０の位置に移動させる移動機構部を有する。移動機構部には、押さえ部３１を上下させる駆動部と、サービス券保留部３２のリフタ３３を上下に案内するレール部とリフタ３３を駆動する駆動部、取込部３０のベース板３５を回動する回動部等が設けられる。押さえ部３１、リフタ３３やベース板３５の各動作は、図６で詳述する。
【００４１】
格納部４４の移動機構は、搬送路に取込部３０とサービス券保留部３２のいずれを登場させるかを切り替える切替部でもある。図５（Ａ）は、取込部３０が搬送路に配置されて、サービス券保留部３２が下がった位置にある状態である。
【００４２】
投票券挿入口２０から取込部３０（またはサービス券保留部３２）間に搬送路Ｌ１が設けられる。取込部３０から券読取部３６を経由して一時保留部３８までに搬送路Ｌ２が設けられる。一時保留部３８から廃券処理部４０を経由して廃券スタッカ４２までに搬送路Ｌ３が設けられる。一時保留部３８から投票券返却口２２までは搬送路Ｌ４が設けられる。また、搬送路Ｌ２の途中に、サービス券保留部３２までの搬送路Ｌ５が設けられる。
【００４３】
投票券読取制御部２００により行われる投票券等の搬送処理を説明する。投票券挿入口２０に投票券等が挿入されると、投票券挿入口２０に設けられた券挿入センサ（不図示）により制御ユニット１１４に通知がなされ、投票券読取制御部２００は投票券等の搬入を開始する。投票券等は搬送路Ｌ１を通って取込部３０に搬送される（経路ｐ１）。
【００４４】
取込部３０に取込まれた投票券等が１枚ずつピックローラ３４で、券読取部３６を経由して一時保留部３８まで搬送路Ｌ２を通って搬送される（経路ｐ２）。券読取部３６で投票券等の内容が読取られ、投票券読取制御部２００によって券の種類が判別される。
【００４５】
一時保留部３８に保留された券が的中券である場合には、一時保留部３８から廃券処理部４０に搬送されて廃券処理がなされて、搬送路Ｌ３を通って廃券スタッカ４２に収納される（経路ｐ３）。一時保留部３８に格納された券が外れ券である場合には、一時保留部３８から搬送路Ｌ４を通って投票券返却口２２に搬送されて（経路ｐ４）、投票券返却口２２から顧客に返却される。
【００４６】
一時保留部３８に格納された券がサービス券である場合には、一時保留部３８から券読取部３６の方に戻され、搬送路Ｌ２の途中から搬送路Ｌ５を通ってサービス券保留部３２に搬送されて（経路ｐ５）、サービス券保留部３２に格納される。
【００４７】
以上のように、投票券読取制御部２００により、取込部３０に取込まれた投票券等が１枚ずつその種類に応じた経路で搬送される。投票券挿入口２０からサービス券が複数枚挿入された場合には、サービス券保留部３２にまとめて格納される。
【００４８】
図５（Ｂ）は、サービス券保留部３２に保留されたサービス券を利用する場合の、投票券読取ユニット１０２の搬送経路の構成を示す図である。なお、投票券挿入口２０から挿入されたが使用されないサービス券は、顧客に返却される。
【００４９】
投票券読取制御部２００は、格納部４４の駆動源（不図示）を制御して、サービス券保留部３２を上昇させて、取込部３０の代わりにサービス券保留部３２を搬送路Ｌ１と搬送路Ｌ２の間に移動させる。
【００５０】
投票券読取制御部２００は、サービス券保留部３２に格納されたサービス券を搬送制御する。サービス券を使用する場合には、サービス券保留部３２からサービス券が１枚ずつピックローラ３４で搬送され、搬送路Ｌ２を通って一時保留部３８に入り（経路ｐ６）、一時保留部３８から搬送路Ｌ３を通って廃券処理部４０で廃券処理がなされて、廃券スタッカ４２に格納される（経路ｐ７）。なお、途中の券読取部３６でサービス券の内容を読取るようにしてもよい。
【００５１】
未使用のサービス券を顧客に返却する場合（サービス券保留部３２にサービス券が格納された状態で終了操作がされたような場合）には、サービス券保留部３２から、搬送路Ｌ１を通って投票券挿入口２０に未使用のサービス券を搬送して（経路ｐ８）、投票券挿入口２０から返却する。なお、未使用のサービス券は、的中券でない投票券と同様に投票券返却口２２から返却するようにしてもよい。
【００５２】
図６は、格納部４４のサービス券保留部３２の上下動作を段階的に示す図である。移動機構部により上下動作する取込部３０・サービス券保留部３２を、図５と同様な方向からの側面図で示す。進行の順番にＭ１〜Ｍ８に分けて、図６−１から図６−４に示す。
【００５３】
図６−１は、スタートの状態である状態Ｍ１を示す図である。スタートの状態では、格納部４４の上段が取込部３０に、下段がサービス券保留部３２になっている。格納部４４の上部には、投票券等を上から押さえる押さえ部３１が設けられる。押さえ部３１の下には、２枚の板からなるベース板３５が設けられる。ベース板３５は、取込部３０の底面を構成し、搬送路Ｌ１と搬送路Ｌ２間を接続する。
【００５４】
サービス券保留部３２にはリフタ３３が設けられる。リフタ３３は、サービス券を載置するもので、上下移動するよう設けられる。押さえ部３１、ベース板３５及びリフタ３３は、駆動源（不図示）により駆動される。なお、図５と同じ要素には同じ符号を付けて示す。
【００５５】
状態Ｍ１は、投票券等の挿入が開始されるスタート状態である。ここでは、投票券挿入口２０にサービス券３００と投票券４００が混在して挿入されたとする。スタートの状態では、押さえ部３１は上部の退避位置に移動し、リフタ３３も一番下がった位置に移動している。
【００５６】
状態Ｍ２は、まとめて挿入された投票券等が、券読取部３６に搬送される状態を示す図である。投票券等が投票券挿入口２０に挿入されたことを検知すると、投票券等を内部に搬送して押さえ部３１が、下降して（矢印３１ａ方向）投票券等を押さえる。押さえ部３１によって押さえられた投票券等は、ピックローラ３４の回転によって、搬送路Ｌ２を通って券読取部３６に搬送される。
【００５７】
図６−２の状態Ｍ３は、券読取部３６でサービス券３００と判別された券がサービス券保留部３２に搬送される様子である。内部に搬送された投票券等は、券読取部３６でサービス券３００であるか投票券であるかが判別される。サービス券３００は、矢印Ｓ１，Ｓ２の方向で搬送路Ｌ２を逆送される。そして、搬送路Ｌ５を経由してサービス券保留部３２に搬送される。
【００５８】
図６−２の状態Ｍ４は、搬送路Ｌ５を通過しサービス券保留部３２に搬送されたサービス券３００が、リフタ３３上に複数枚積み重なった様子である。サービス券３００は、まとめて、サービス券保留部３２に格納される。
【００５９】
図６−３の状態Ｍ５は、挿入された投票券等の読取りが全て終了して、取込部３０からは投票券がなくなった状態である。挿入された投票券等にサービス券３００が存在する場合には、２枚のベース板３５が、それぞれ３５ａの方向に回動して、水平姿勢から垂直な姿勢に変化して、搬送路から退避する。また、押さえ部３１は、上の退避位置に移動する。
【００６０】
図６−３の状態Ｍ６は、サービス券３００が載置されたリフタ３３が上昇して（矢印３３ａ）、状態Ｍ４等で２枚のベース板３５が水平にあった位置と同じ位置に代わった状態である。リフタ３３がベース板３５のあった位置に移動後、押さえ部３１が下降して（矢印３１ａ）、リフタ３３上に載置されたサービス券３００を押さえる。ピックローラ３４の回転によって、サービス券３００が搬送路Ｌ２を経由して券読取部３６に送られる。
【００６１】
図６−４の状態Ｍ７は、サービス券保留部３２に格納されたサービス券が全て使用され、リフタ３３が下降（矢印３３ｂ）する状態である。
【００６２】
図６−４の状態Ｍ８は、リフタ３３が格納部４４の一番下まで下降して、ベース板３５が、矢印３５ｂの方向に回動して水平位置に戻った状態である。サービス券保留部３２が格納部４４の下段に下がり、格納部４４の上段に取込部３０が再度構成された状態である。スタートの状態（状態Ｍ１）である。
【００６３】
図７は、投票券発券装置１０における処理を説明するフローチャートである。特に、サービス券が挿入された場合の、投票券等の処理や発券処理についてを説明するフローチャートである。この投票券等の処理や発券処理は、制御ユニット１１４の中で主に投票券読取制御部２００、サービス券処理部２０２、投票券発券制御部２０６等によって実行される。
【００６４】
投票券挿入口２０へ投票券等が挿入されると、投票券読取制御部２００は投票券・サービス券の挿入を検知する（ステップＳ１０）。前述のように券挿入を検知は、投票券挿入口２０に設けられた券挿入センサ（不図示）によって行われる。接客開始時には、搬送路Ｌ１,Ｌ２に対応する位置に取込部３０が配置される（図５（Ａ）や図６−１）。
【００６５】
投票券読取制御部２００は、投票券等を内部に搬送して、搬送路Ｌ１を経由して取込部３０に、一括して格納する（ステップＳ１２）。
【００６６】
投票券読取制御部２００は、取込部３０に一括して格納した投票券等を券読取部３６へ1枚ずつ搬送する。投票券読取制御部２００は、券読取部３６で投票券等の読取りを行い（ステップＳ１４）、読取り情報に基づき券種の判別を行う。投票券読取制御部２００は、券読取部３６で読取られた投票券等を一時保留部３８に格納する。
【００６７】
投票券読取制御部２００は、読取った投票券等がサービス券であるかを判断し（ステップＳ１６）、サービス券であると判断すると（ステップＳ１６Ｙｅｓ）、このサービス券を一時保留部３８から搬送路Ｌ５経由で搬送してサービス券保留部３２に格納する（ステップＳ１８）。
【００６８】
投票券読取制御部２００が、読取った投票券等がサービス券ではないと判断すると（ステップＳ１６Ｎｏ）、的中券であるかを判断する（ステップＳ２０）。投票券読取制御部２００が、的中券ではないと判断すると（ステップＳ２０Ｎｏ）、搬送路Ｌ４を経由して投票券返却口２２より返却する（ステップＳ２２）。
【００６９】
投票券読取制御部２００が、読取った投票券等が的中券であると判断すると（ステップＳ２０Ｙｅｓ）、この的中券を搬送路Ｌ３で廃券処理部４０に搬送して廃券処理を行わせ、廃券処理された的中券を搬送路Ｌ３経由で廃券スタッカ４２に収納する（ステップＳ２４）。
【００７０】
投票券読取制御部２００は、取込部３０に投票券等が残っているかを判断する（ステップＳ２６）。投票券読取制御部２００は、取込部３０に投票券等が残っていると判断すると（ステップＳ２６Ｙｅｓ）、ステップＳ１４に戻り、次の1枚を券読取部３６へ搬送し、取込部３０に投票券等が無くなるまで同様な処理を繰り返す。
【００７１】
投票券読取制御部２００は、取込部３０に投票券等がないと判断すると（ステップＳ２６Ｎｏ）、次にサービス券保留部３２にサービス券が有るかを判断する。ここでは、サービス券保留部３２にサービス券が有るとする。サービス券保留部３２にサービス券が有る場合には、投票券読取制御部２００は、格納部４４の移動機構部を制御して、サービス券保留部３２を上部に移動させ（ステップＳ２８）、サービス券保留部を取込部の位置に移動させる。図５（Ｂ）及び図６のＭ５，Ｍ６で示した状態である。
【００７２】
次に、顧客により終了操作がされたかを判断する（ステップＳ３０）。顧客により終了操作がされたと判断すると（ステップＳ３０Ｙｅｓ）、図７−３に示す終了処理を行う。顧客による終了操作とは、例えば、精算ボタンの押下である。
【００７３】
残金有かを判断し（ステップＳ６０）、残金有と判断すると（ステップＳ６０Ｙｅｓ）、残金を返却する（ステップＳ６２）。投票券読取制御部２００は、例えば的中券による配当金が有ると判断すると、制御ユニット１１４は、紙幣出入口や硬貨出入口から配当金を返却するよう硬貨ユニット１０８や紙幣ユニット１１０を制御し、残金を返却する。
【００７４】
残金なしと判断する場合（ステップＳ６０Ｎｏ）や残金を返却した（ステップＳ６２）後は、投票券購入したかを判断する（ステップＳ６４）。投票券購入したと判断すると（ステップＳ６４Ｙｅｓ）、購入された投票券を放出する（ステップＳ６６）。
【００７５】
投票券を購入していないと判断する場合（ステップＳ６４Ｎｏ）や、購入された投票券を放出した（ステップＳ６６）後は、サービス券保留部３２にサービス券有かを判断する（ステップＳ６８）。
【００７６】
サービス券保留部３２にサービス券有と判断すると（ステップＳ６８Ｙｅｓ）、投票券読取制御部２００は、サービス券保留部３２から搬送路Ｌ１を経由して投票券挿入口２０よりサービス券を返却する（ステップＳ７０）。
【００７７】
サービス券保留部３２にサービス券なしと判断する場合（ステップＳ６８Ｎｏ）や投票券挿入口２０よりサービス券を返却した（ステップＳ７０）後は、投票券読取制御部２００は、格納部４４を制御して、サービス券保留部３２を下部に移動する（ステップＳ７２）。代りに取込部３０を形成して、スタート状態に戻す。図６のＭ７，Ｍ８で示した状態である。以上により、終了処理を終了する。
【００７８】
ステップＳ３０に戻る。顧客により終了操作がされていないと判断すると（ステップＳ３０Ｎｏ）、お金が投入されたかを判断する（ステップＳ３２）。お金が投入されていないと判断すると（ステップＳ３２Ｎｏ）、投票カードが挿入されたかを判断する（ステップＳ３４）。お金が投入されたと判断する場合（ステップＳ３２Ｙｅｓ）、あるいは投票カードが挿入されたと判断する場合（ステップＳ３４Ｙｅｓ）には、新規の投票券購入としてステップＳ４０に進む。お金が投入されておらず（ステップＳ３２Ｎｏ）かつ投票カードが挿入されていないと判断する場合（ステップＳ３４Ｎｏ）、ステップＳ３０に戻る。
【００７９】
サービス券保留部３２にサービス券が有るので、投票券読取制御部２００は、ピックローラ３４を駆動して、サービス券保留部３２からサービス券を１枚搬送する（図５（Ｂ）のｐ６）。そして、投票券読取制御部２００は、サービス券を1枚券読取部３６で読取り（ステップＳ４０）、読取った情報からサービス券の内容を判別する。なお、券読取部３６で再度サービス券を読取ることはしないで、ステップＳ１４でサービス券を1枚ずつ読取った内容を順番にメモリ１６０に記憶しておき、その内容を読み出して、使用するサービス券の内容を判別するようにしてもよい。  
【００８０】
投票カード読取制御部２０４は、ステップＳ３４で挿入された投票カードの読取りを実行する（ステップＳ４２）。投票券発券制御部２０６は、投票券を発券する処理を行い（ステップＳ４４）、投票券を発券する。なお、ここでの入金額は、的中券が有る場合（ステップＳ２０Ｙｅｓの場合）には、的中券分の配当金にステップＳ３２で入金された現金を加えた金額である。
【００８１】
サービス券処理部２０２は、読取ったサービス券の内容から、今回の取扱いがサービス条件を満足するかを判断する（ステップＳ４６）。サービス条件とは、上記したように、サービス券の有効期限や、サービス券が使用できる購入金額等の条件である。
【００８２】
投票券発券制御部２０６は、サービス条件を満足すると判断すると（ステップＳ４６Ｙｅｓ）、入金額（配当金＋現金）から、サービス券分を除いた購入金額を徴収する（ステップＳ４８）。投票券読取制御部２００は、使用したサービス券を搬送路Ｌ３で廃券処理部４０を経由して廃券スタッカ４２に収納する（ステップＳ５２、図５（Ｂ）のｐ７）。
【００８３】
投票券発券制御部２０６は、サービス条件を満足しないと判断すると（ステップＳ４６Ｎｏ）、サービス券を考慮しないで、入金額（配当金＋現金）から購入金額を徴収する（ステップＳ５０）。
【００８４】
次に顧客により終了操作がされたかを判断する（ステップＳ５４）。顧客により終了操作がされたと判断すると（ステップＳ５４Ｙｅｓ）、前述した終了処理（ステップＳ６０〜Ｓ７２）を行う。説明は省略する。
【００８５】
終了操作がされていないと判断する（ステップＳ５４Ｎｏ）、まだ投票カード有るかを判断する（ステップＳ５６）。ステップＳ３４の投票カード挿入では、同時に複数枚挿入可能だからである。投票カード有ると判断すると（ステップＳ５６Ｙｅｓ）、ステップＳ４０に戻り、２枚目の投票カードに従って次の発券処理を行う。サービス券も残っていれば、対応して２枚目のサービス券が、前述の１枚目と同様な手順で使用される。投票カードがないと判断すると（ステップＳ５６Ｎ０）、ステップＳ３０に戻る。
【００８６】
上記の実施形態により、少なくとも以下の効果が奏せられる。
・サービス券を投票券と同じ寸法等にして、投票券発券装置内部での取扱い上、サービス券に投票券と互換性を持たせることで、従来の投票券発券装置でも大きな変更を加えることなく、サービス券対応可能とすることができる。
・具体的には、的中投票券の読取りユニットの一部に、サービス券を保留するサービス券保留部を設けたので、的中投票券と同じ挿入口や搬送路を兼用できる。
・サービス券保留部を設けることで、投票券とサービス券が混在しても処理が可能になり、顧客はサービス券を投票券と分けて挿入する手間が不要になる。
・サービス券保留部を設けることで、サービス券が複数枚まとめて挿入された場合でも、1枚ずつのサービス券の利用が可能になる。サービス券を分けて挿入する手間を省くことができ、投票券購入の回転を悪化させることがない。
【００８７】
また、本実施形態は、無人機（自動機）の投票券発券装置を例にして説明を行ったが、有人機においても、実現が可能である。また、想定する競技には、競馬、競輪、競艇、オートレースなどの公営競技が含まれる。もちろん、公営競技以外であっても良い。例えば、宝くじ（ナンバーズ３、ミニロ ト、ロト６など）やスポーツくじ等にも実現が可能である。
【００８８】
なお、移動機構部を設けてサービス券保留部３２を上下移動させる代りに、下段のサービス券保留部３２の入口に、サービス券保留部３２からサービス券を直接取り出すための第２のピックローラを設けるようにしてもよい。
【００８９】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００９０】
１      公営競技用投票システム
５      ホストコンピュータ
１０    投票券発券装置
２０    投票券挿入口
２２    投票券返却口
３０    取込部
３２    サービス券保留部
３４    ピックローラ
３６    券読取部
３８    一時保留部
４０    廃券処理部
４２    廃券スタッカ
４４    格納部
１０２  投票券読取ユニット
１０４  投票カード読取ユニット
１０６  発券ユニット
１０８  硬貨ユニット
１１０  紙幣ユニット
１１２  表示ユニット
１１４  制御ユニット
１５０  ＣＰＵ
１６０  メモリ
２００  投票券読取制御部
２０２  サービス券処理部
２０４  投票カード読取制御部
２０６  投票券発券制御部
２２０  メモリ
３００  サービス券
【図１】
2015011455.tif 000003
【図２】
2015011455.tif 000004
【図３】
2015011455.tif 000005
【図４】
2015011455.tif 000006
【図５】
2015011455.tif 000007
【図６−１】
2015011455.tif 000008
【図６−２】
2015011455.tif 000009
【図６−３】
2015011455.tif 000010
【図６−４】
2015011455.tif 000011
【図７−１】
2015011455.tif 000012
【図７−２】
2015011455.tif 000013
【図７−３】
2015011455.tif 000014